(57)【特許請求の範囲】
【請求項１】
各種の機能手段と、
所定エリアへ入場するための電子チケット情報を保存する電子チケット保存手段と、
前記電子チケット情報を送信し、この送信に応じて返信される前記電子チケット情報の正否情報及び前記各種の機能手段のうちの特定の機能の使用制限を条件とした入場許可の情報を受信する送受信手段と、
前記特定の機能の使用制限を促すメッセージを出力する出力手段と、
入力指示を受け付ける入力手段と、
前記入力手段から前記特定の機能の使用制限を了解する旨の入力があった場合は、前記特定の機能の使用制限を行うとともに前記入場許可の情報を有効とし、了解しない旨の入力があった場合は、前記特定の機能の使用制限を行わずに前記入場許可の情報を無効とする機能制御手段と、
を備える携帯端末装置。
【請求項２】
前記機能制御手段は、前記所定エリアから退場するときに前記特定の機能の使用制限を解除する
請求項１に記載の携帯端末装置。
【請求項３】
各種の機能手段と、所定エリアへ入場するための電子チケット情報を保存する電子チケット保存手段と、を備える携帯端末装置における機能制御方法であって、
前記電子チケット情報を送信し、この送信に応じて返信される前記電子チケット情報の正否情報及び前記各種の機能手段のうちの特定の機能の使用制限を条件とした入場許可の情報を受信する送受信ステップと、
前記特定の機能の使用制限を促すメッセージを出力する出力ステップと、
入力手段から前記特定の機能の使用制限を了解する旨の入力があった場合は、前記特定の機能の使用制限を行うとともに前記入場許可の情報を有効とし、了解しない旨の入力があった場合は、前記特定の機能の使用制限を行わずに前記入場許可の情報を無効とする機能制御ステップと、
を有する携帯端末装置における機能制御方法。
【請求項４】
各種の機能手段と、所定エリアへ入場するための電子チケット情報を保存する電子チケット保存手段と、を備える携帯端末装置に、
前記電子チケット情報を送信し、この送信に応じて返信される前記電子チケット情報の正否情報及び前記各種の機能手段のうちの特定の機能の使用制限を条件とした入場許可の情報を受信する送受信ステップと、
前記特定の機能の使用制限を促すメッセージを出力する出力ステップと、
入力手段から前記特定の機能の使用制限を了解する旨の入力があった場合は、前記特定の機能の使用制限を行うとともに前記入場許可の情報を有効とし、了解しない旨の入力があった場合は、前記特定の機能の使用制限を行わずに前記入場許可の情報を無効とする機能制御ステップと、
を実行させるための機能制御プログラム。
【発明の詳細な説明】
【技術分野】
【０００１】
本発明は、移動体通信システムにおける携帯電話機や、携帯電話機能及びコンピュータ機能を備えた情報端末装置等の携帯端末装置、機能制御方法及び機能制御プログラムに関する。
【背景技術】
【０００２】
近年、急激な需要増加の一途を辿る携帯電話機を用いれば、何処に居ても電話をかけることが可能となっている。しかしその一方で、送信電波の影響や、着信を知らせるメロディ音が他の人には好まれないといった状況も生じている。
【０００３】
そこで、その様な機能を制限するために、基地局からの呼出信号に応答して機能制御信号を送信する機能制御信号送信機と、その呼出信号及び同一周波数である機能制御信号を受信する無線機とを有することにより、特定エリアにおいて、使用者の操作を一切必要とせずに、機能を制限する無線装置がある（特許文献１参照）。
【特許文献１】特開平１０−１４５８４９号公報
【発明の開示】
【発明が解決しようとする課題】
【０００４】
しかしながら、従来の装置においては、即ち上記公報の無線装置では、基地局から一方的に機能を制限しており、利用者の使い勝手が悪いという問題がある。
【０００５】
近年、携帯電話機においては、単なる電話としての機能以外にもカメラ等の機能が搭載されつつあり今後ますます多機能化すると考えられる。このことから電話機能のみでなく、その他の機能の制限についても考慮する必要がある。例えば、コンサート会場内へのカメラ付携帯電話機の持込時における撮影機能の制限や、美術館でのカメラによる撮影時のフラッシュ機能の制限などである。
【０００６】
本発明はかかる点に鑑みてなされたものであり、局側からの一方的な機能制限のみでなく利用者の視点から機能制御を行うことによって利用者の使い勝手を良くすることができ、電話機能以外の機能も制御することができる携帯端末装置、機能制御方法及び機能制御プログラムを提供することを目的とする。
【課題を解決するための手段】
【０００７】
本発明の第１の態様に係る携帯端末装置は、各種の機能手段と、電波を受信する受信手段と、前記機能手段の実行を規制する機能規制情報が前記受信手段の受信電波に重畳されていることを検出した場合に前記機能手段の機能を任意時間実行不可状態とする機能制御手段と、を具備する構成を採る。
【０００８】
この構成によれば、電話機能以外の機能も外部からの電波によって制御することができる。
【０００９】
本発明の第２の態様に係る携帯端末装置は、上記構成において、機能制御手段は、機能規制情報で示される規制対象の機能のみを使用不可状態とする構成を採る。
【００１０】
この構成によれば、電話機能以外の任意の機能を外部からの電波によって制御することができる。
【００１１】
本発明の第３の態様に係る携帯端末装置は、上記構成において、機能制御手段は、機能手段の機能開始指示入力時に、機能規制情報の検出を行う構成を採る。
【００１２】
この構成によれば、電話機能以外の利用者が実行指示を行った機能を外部からの電波によって制御することができる。
【００１３】
本発明の第４の態様に係る携帯端末装置は、各種の機能手段と、電波を受信する受信手段と、この手段での受信電波に前記機能手段の機能の使用禁止を示す機能規制情報が重畳されていることを検出した場合に、前記使用禁止を利用者が認識可能なように出力する制御を行う機能制御手段と、を具備する構成を採る。
【００１４】
この構成によれば、外部からの電波による一方的な機能制限のみでなく利用者が機能の使用是非を判断することができるので、利用者の使い勝手を良くすることができる。
【００１５】
本発明の第５の態様に係る携帯端末装置は、各種の機能手段と、電波を受信する受信手段と、この手段での受信電波に前記機能手段の機能の使用を控えることを示す機能規制情報が重畳されていることを検出した場合に、前記使用を控えることを利用者が認識可能なように出力する制御を行う機能制御手段と、を具備する構成を採る。
【００１６】
この構成によれば、外部からの電波による一方的な機能制限のみでなく利用者が機能の使用是非を判断することができるので、利用者の使い勝手を良くすることができる。
【００１７】
本発明の第６の態様に係る携帯端末装置は、上記構成において、機能制御手段は、機能規制情報で示される使用禁止又は使用の差し控え対象の機能のみの使用禁止又は使用の差し控えを、利用者が認識可能なように出力する構成を採る。
【００１８】
この構成によれば、利用者が任意の機能の使用是非を判断することができるので、利用者の使い勝手を良くすることができる。
【００１９】
本発明の第７の態様に係る携帯端末装置は、上記構成において、機能制御手段は、機能手段の機能開始指示入力時に、機能規制情報の検出を行い、前記機能規制情報が検出された場合は前記開始指示を無効とする構成を採る。
【００２０】
この構成によれば、利用者が任意機能の実行開始指示を操作入力した場合に、その機能の使用是非を判断することができるので、利用者の使い勝手を良くすることができる。
【００２１】
本発明の第８の態様に係る携帯端末装置は、各種の機能手段と、この手段の機能開始指示入力時に前記機能手段の機能の制限を確認するための信号を送信し、この送信に応じて返信される機能規制情報を受信する送受信手段と、この手段で前記機能規制情報が受信された際に前記開始指示対象の機能を任意時間使用不可状態とする機能制御手段と、を具備する構成を採る。
【００２２】
この構成によれば、利用者が任意機能の実行開始指示を操作入力した場合に、その機能の実行を制御することができる。また、利用者が制限対象となっている機能の実行開始指示を操作入力した場合でも、その機能が実行されないように外部装置から制御することができる。
【００２３】
本発明の第９の態様に係る携帯端末装置は、上記構成において、機能制御手段は、受信された機能規制情報が機能手段の機能の使用禁止を示す場合に、前記使用禁止を利用者が認識可能なように出力する制御を行う構成を採る。
【００２４】
この構成によれば、利用者が任意機能の実行開始指示を操作入力した場合に、その機能の使用是非を判断することができるので、利用者の使い勝手を良くすることができる。
【００２５】
本発明の第１０の態様に係る携帯端末装置は、上記構成において、機能制御手段は、受信された機能規制情報が機能手段の機能の使用を控えることを示す場合に、前記使用を控えることを利用者が認識可能なように出力する制御を行う構成を採る。
【００２６】
この構成によれば、利用者が任意機能の実行開始指示を操作入力した場合に、その機能の使用是非を判断することができるので、利用者の使い勝手を良くすることができる。
【００２７】
本発明の第１１の態様に係る携帯端末装置は、上記構成において、機能手段の機能は、撮像機能又は録音機能である構成を採る。
【００２８】
この構成によれば、撮像機能又は録音機能を上記同様に制御することができる。
【００２９】
本発明の第１２の態様に係る送信装置は、上記いずれかと同構成の携帯端末装置で受信される機能規制情報を所定エリアに定められた規制に対応するように生成し、この生成された機能規制情報を電波に重畳して送信する構成を採る。
【００３０】
この構成によれば、病院、図書館、コンサート会場などのエリアでの規制事項を容易に携帯端末装置へ送信することができる。
【００３１】
本発明の第１３の態様に係る送受信装置は、上記いずれかと同構成の携帯端末装置における機能手段の機能制限を示す機能規制情報を、所定エリアに定められた規制に対応するように生成し、この生成された機能規制情報を、前記携帯端末装置の送受信手段からの信号受信時に送信する構成を採る。
【００３２】
この構成によれば、病院、図書館、コンサート会場などのエリアでの規制事項を、携帯端末装置からの要求に応じて携帯端末装置へ送信することができる。
【００３３】
本発明の第１４の態様に係る移動体通信システムは、上記いずれかと同構成の携帯端末装置と、上記構成の送信装置と、前記携帯端末装置と通信網への中継通信を行う基地局装置とを具備する構成を採る。
【００３４】
この構成によれば、移動体通信システムにおいて、上記いずれかと同構成の携帯端末装置及び上記構成の送信装置と同様の作用効果を得ることができる。
【００３５】
本発明の第１５の態様に係る移動体通信システムは、上記いずれかと同構成の携帯端末装置と、上記構成の送信装置と、前記携帯端末装置と通信網への中継通信を行う基地局装置とを具備する構成を採る。
【００３６】
この構成によれば、移動体通信システムにおいて、上記いずれかと同構成の携帯端末装置及び上記構成の送受信装置と同様の作用効果を得ることができる。
【００３７】
本発明の第１６の態様に係る携帯端末装置は、各種の機能手段と、所定エリアへの入場を許可する電子チケット情報が保存された電子チケット保存手段と、電子チケット送信開始指示入力時に前記電子チケット情報を送信し、この送信に応じて返信される前記電子チケット情報の正否情報及び通知情報を受信する送受信手段と、前記受信された通知情報の内容を利用者が認識可能なように出力する制御を行う機能制御手段と、を具備する構成を採る。
【００３８】
この構成によれば、入場時の確認処理と併せて様々な通知情報を携帯端末装置に送信し、その通知情報を利用者が認識できる。
【００３９】
本発明の第１７の態様に係る携帯端末装置は、上記構成において、端末制御手段は、通知情報が機能手段の機能の規制を示す機能規制情報である場合、前記機能手段の機能の規制事項を利用者が認識可能なように出力する制御を行う構成を採る。
【００４０】
この構成によれば、入場時の確認処理と併せて会場の携帯端末装置の機能規制事項を送信することができ、その規制事項を利用者が認識できる。
【００４１】
本発明の第１８の態様に係る携帯端末装置は、上記構成において、機能制御手段は、機能規制情報が機能手段の機能の使用禁止を示す場合、前記使用禁止の機能を使用不可状態とする制御を行う構成を採る。
【００４２】
この構成によれば、入場時の確認処理と併せて会場の携帯端末装置の機能使用禁止事項を送信することができ、その使用禁止の機能を自動的に使用不可状態とすることができる。
【００４３】
本発明の第１９の態様に係る携帯端末装置は、上記構成において、機能規制情報は、機能手段の機能をエリアの規制レベルに応じて制御するレベル情報を含む構成を採る。
【００４４】
この構成によれば、会場の規制のレベルに応じた携帯端末装置の機能の規制を行うことができる。この規制は自動又は利用者が任意に行うことが可能である。
【００４５】
本発明の第２０の態様に係る携帯端末装置は、上記構成において、端末制御手段は、通知情報が所定エリアの地図情報である場合、前記地図情報による地図を利用者が認識可能なように出力する制御を行う構成を採る。
【００４６】
この構成によれば、利用者が会場の地図を携帯端末装置で見ることができる。
【００４７】
本発明の第２１の態様に係る携帯端末装置は、上記構成において、端末制御手段は、通知情報が所定エリアで利用可能なサービスの電子チケット情報である場合、前記電子チケット情報の内容を利用者が認識可能なように出力する制御を行う構成を採る。
【００４８】
この構成によれば、入場を許可した際に、会場でのアトラクションなどの使用を、入場許可時に自動的に限定することができる。
【００４９】
本発明の第２２の態様に係る携帯端末装置は、上記構成において、通知情報を保存する通知情報保存手段を具備し、端末制御手段が、前記保存された通知情報にもとづく制御を行う構成を採る。
【００５０】
この構成によれば、携帯端末装置に通知情報が保存されるので、それを利用者が後から任意に利用することができる。
【００５１】
本発明の第２３の態様に係る電子チケット読取装置は、上記いずれかと同構成の携帯端末装置から送信された電子チケット情報の正否を確認する確認手段と、通知情報が保存された保存手段と、前記電子チケット情報を受信し、また前記確認手段で前記電子チケット情報の正当性確認時にこの確認内容を示す正否情報と共に前記保存された通知情報を送信する送受信手段と、を具備する構成を採る。
【００５２】
この構成によれば、携帯端末装置から電子チケット情報を受信することによって、入場の許可、携帯端末装置の機能の規制、携帯端末装置の利用者へのサービス情報の提供などを自動的に行うことができる。
【００５３】
本発明の第２４の態様に係る入場システムは、上記いずれかと同構成の携帯端末装置と上記構成の電子チケット読取装置とを具備する構成を採る。
【００５４】
この構成によれば、会場の入場システムにおいて、上記いずれかと同様の作用効果を得ることができる。
【００５５】
本発明の第２５の態様に係る移動体通信システムは、上記いずれかと同構成の携帯端末装置と、上記構成の電子チケット読取装置と、前記携帯端末装置と通信網への中継通信を行う基地局装置とを具備する構成を採る。
【００５６】
この構成によれば、移動体通信システムにおいて、上記いずれかと同様の作用効果を得ることができる。
【００５７】
本発明の第２６の態様に係る携帯端末装置の機能制御方法は、送信装置において、携帯端末装置の機能の実行を制限するための機能規制情報を所定エリアに定められた規制に対応するように生成し、この生成された機能規制情報を送信し、前記携帯端末装置において、前記機能規制情報が受信された場合に前記機能を任意時間使用不可状態とするようにした。
【００５８】
この方法によれば、電話機能以外の機能も外部の送信装置からの電波によって制御することができる。
【００５９】
本発明の第２７の態様に係る携帯端末装置の機能制御方法は、送信装置において、携帯端末装置の機能の実行を制限するための機能規制情報を所定エリアに定められた規制に対応するように生成し、この生成された機能規制情報を送信し、前記携帯端末装置において、前記機能規制情報を受信し、この受信情報が前記機能の使用禁止を示す場合に、前記使用禁止を利用者が認識可能なように出力するようにした。
【００６０】
この方法によれば、外部の送信装置からの電波による一方的な機能制限のみでなく利用者が機能の使用是非を判断することができるので、利用者の使い勝手を良くすることができる。
【００６１】
本発明の第２８の態様に係る携帯端末装置の機能制御方法は、送信装置において、携帯端末装置の機能の実行を制限するための機能規制情報を所定エリアに定められた規制に対応するように生成し、この生成された機能規制情報を送信し、前記携帯端末装置において、前記機能規制情報を受信し、この受信情報が前記機能の使用を控えることを示す場合に、前記使用を控えることを利用者が認識可能なように出力するようにした。
【００６２】
この方法によれば、外部の送信装置からの電波による一方的な機能制限のみでなく利用者が機能の使用是非を判断することができるので、利用者の使い勝手を良くすることができる。
【００６３】
本発明の第２９の態様に係る携帯端末装置の機能制御方法は、携帯端末装置において、この装置の機能開始指示入力時に前記機能の制限を確認するための信号を送信し、送受信装置において、前記送信された信号の受信時に、所定エリアに定められた規制に対応するように生成された機能規制情報を送信し、前記携帯端末装置において、前記機能規制情報の受信時に前記開始指示対象の機能を任意時間使用不可状態とするようにした。
【００６４】
この方法によれば、利用者が任意機能の実行開始指示を操作入力した場合に、その機能の実行を制御することができる。また、利用者が制限対象となっている機能の実行開始指示を操作入力した場合でも、その機能が実行されないように外部装置から制御することができる。
【００６５】
本発明の第３０の態様に係る携帯端末装置の機能制御方法は、上記方法において、携帯端末装置は、受信された機能規制情報が機能の使用禁止を示す場合に、前記使用禁止を利用者が認識可能なように出力するようにした。
【００６６】
この方法によれば、利用者が任意機能の実行開始指示を操作入力した場合に、その機能の使用是非を判断することができるので、利用者の使い勝手を良くすることができる。
【００６７】
本発明の第３１の態様に係る携帯端末装置の機能制御方法は、上記方法において、携帯端末装置は、受信された機能規制情報が機能の使用を控えることを示す場合に、前記使用を控えることを利用者が認識可能なように出力するようにした。
【００６８】
この方法によれば、利用者が任意機能の実行開始指示を操作入力した場合に、その機能の使用是非を判断することができるので、利用者の使い勝手を良くすることができる。
【００６９】
本発明の第３２の態様に係る入場システムにおける管理方法は、携帯端末装置において、所定エリアへの入場を許可する電子チケット情報を送信し、この送信情報を電子チケット読取装置で受信し、この受信された電子チケット情報が正であると確認された際に正情報と共に通知情報を送信し、これら送信情報を前記携帯端末装置で受信し、この受信情報の内容を利用者が認識可能なように出力するようにした。
【００７０】
この方法によれば、入場時の確認処理と併せて様々な通知情報を携帯端末装置に送信し、その通知情報を利用者が認識できる。
【００７１】
本発明の第３３の態様に係る入場システムにおける管理方法は、上記方法において、携帯端末装置は、通知情報が携帯端末装置の機能の使用禁止を示す場合、前記使用禁止の機能を使用不可状態とする制御を行うようにした。
【００７２】
この方法によれば、入場時の確認処理と併せて会場の携帯端末装置の機能使用禁止事項を送信することができ、その使用禁止の機能を自動的に使用不可状態とすることができる。
【００７３】
本発明の第３４の態様に係る入場システムにおける管理方法は、上記方法において、携帯端末装置での通知情報は、入場時に得られてから退場時に電子チケット読取装置との間で退場処理を行うまでの間有効とするようにした。
【００７４】
この方法によれば、携帯端末装置での通知情報を会場内にいる間のみ有効とすることができる。
【発明の効果】
【００７５】
本発明によれば、局側からの一方的な機能制限のみでなく利用者の視点から機能制御を行うことによって利用者の使い勝手を良くすることができ、電話機能以外の機能も制御することができる。
【発明を実施するための最良の形態】
【００７６】
以下、本発明の実施の形態について、図面を参照して詳細に説明する。
【００７７】
（実施の形態１）
図１は、本発明の実施の形態１に係る携帯端末装置が適用された移動体通信システムの構成を示すブロック図である。
【００７８】
この図１に示す移動体通信システムは、携帯電話機等の携帯端末装置１０１と、ローカルエリア内電波送受信装置１０２と、図示せぬ公衆網に有線接続された基地局１０３とを備えて構成されている。
【００７９】
携帯端末装置１０１は、ローカルエリア内電波送受信装置１０２と短距離でローカル通信を行うローカル送受信手段１１１と、基地局１０３と通信を行うことによって公衆網との送受信を行う公衆網送受信手段１１２と、動画像や静止画像の撮影を行うカメラ１１３と、録音を行う録音手段１１４と、携帯端末装置１０１が有する機能情報や機能制限情報を保持する保存データ用メモリ１１５と、入力キーなどの入力手段１１６と、ディスプレイなどの表示手段や、スピーカやバイブレータ等の出力手段１１７と、機能制限が行われているか否かを確認するための処理を行う機能制御手段１１８とを備えて構成されている。
【００８０】
但し、ローカル送受信手段１１１とローカルエリア内電波送受信装置１０２との送受信の方法は、近距離用の電波を用いても良いし、赤外線による情報の送受信であっても良い。
【００８１】
このような構成の携帯端末装置１０１が備える機能のうちカメラによる撮影機能を制限する場合の機能制御の動作を、図２に示すフロー図を参照して説明する。
【００８２】
ステップＳＴ２０１において、携帯端末装置１０１の利用者が、カメラ１１３での撮影開始の指示を入力手段１１６から操作入力したとする。
【００８３】
その入力が行われるとステップＳＴ２０２において、機能制御手段１１８は撮影機能の制限が行われているか否かを確認する。これは、ステップＳＴ２０３において、ローカル送受信手段１１１で機能規制情報が受信されているか否かで制限を判断する。機能規制情報は、ローカルエリア内電波送受信装置１０２において、所定エリアに定められた規制に応じて生成され、電波に重畳されて送信されるようになっている。
【００８４】
機能規制情報が受信されていない場合、撮影機能の制限が行われていないと判断し、ステップＳＴ２０４において、撮影を開始する。
【００８５】
機能規制情報が受信された場合、ステップＳＴ２０５において、その受信機能規制情報が撮影に関する規制情報か否かを判断する。
【００８６】
この結果、撮影に関する規制情報であれば、ステップＳＴ２０６において、機能制御手段１１８は、出力手段１１７に、このエリアでの撮影が禁止されている旨のメッセージを表示したり、振動や鳴音を制御することにより撮影が禁止されていることを利用者に知らせる。
【００８７】
また、機能制御手段１１８は、出力手段１１７に、このエリアでの撮影を控える旨のメッセージを表示したり、振動や鳴音を制御することにより撮影を控えることを利用者に知らせる。
【００８８】
この禁止や控えることを利用者に通知する際に、機能制御手段１１８が、機能規制情報で規制されている機能を任意時間使用不可状態とするようにしてもよい。
【００８９】
また、入力手段１１６から撮影開始の指示入力が行われる前に、撮影に関する規制を示す機能規制情報が受信されていれば、ステップＳＴ２０６の処理を行うようにしてもよい。
【００９０】
また、上記説明では、撮影開始の指示入力に応じて、ステップＳＴ２０２で機能制御手段１１８が撮影機能の制限を確認する場合に、ステップＳＴ２０３においてローカル送受信手段１１１で機能規制情報が受信されているか否かで制限を判断するように成されていた。
【００９１】
この処理を次のように行っても良い。まず、撮影開始の指示入力時に、機能制御手段１１８が撮影機能の制限を確認するための信号をローカル送受信手段１１１からローカルエリア内電波送受信装置１０２へ送信するように制御する。
【００９２】
この制御による送信信号を受信したローカルエリア内電波送受信装置１０２から機能規制情報を送信し、この機能規制情報をローカル送受信手段１１１が受信しているか否かで制限を判断する。
【００９３】
以上、撮影機能を例に取り説明したが、録音機能及び電波の発信機能、着信音などの鳴音機能についても同様に制御され、更にカメラのフラッシュ機能の制限についても同様に制御される。
【００９４】
このように、実施の形態の携帯端末装置１０１によれば、携帯端末装置１０１の各種機能を、局側からの一方的な機能制限のみでなく、携帯端末装置１０１が存在するエリアでの規制に応じた機能規制情報の送受信によって制限するようにした。これによって、利用者の使い勝手を良くすることができ、電話機能以外の機能も制御することができる。言い換えれば、携帯端末装置１０１が持つ様々な機能のうち特定の機能のみを制限するといったことが可能となる。
【００９５】
（実施の形態２）
図３は、本発明の実施の形態２に係る携帯端末装置が適用された入場システムの構成を示すブロック図である。
【００９６】
この図３に示す入場システムは、携帯電話機等の携帯端末装置３０１及び電子チケット読取装置３０２を備えて構成されている。
【００９７】
携帯端末装置３０１は、電子チケット情報を保存する電子チケット保存手段３１１と、機能制限情報や地図情報などの情報を保存する通知情報保存手段３１２と、携帯端末装置３０１の機能に関する情報を保存する機能情報保存手段３１３と、電子チケット読取装置３０２との間で情報を送受信する送受信手段３１４と、送受信手段３１４で受信された電子チケット読取装置３０２からの通知情報をもとに携帯端末装置３０１の制御を行う端末制御手段３１５と、入力キーなどの入力手段３１６と、ディスプレイなどの表示手段や、スピーカやバイブレータ等の出力手段３１７とを備えて構成されている。
【００９８】
電子チケット読取装置３０２は、携帯端末装置３０１から送られてきた電子チケットの正当性を確認する電子チケット確認手段３２１と、電子チケットの正当性が確認された場合に携帯端末装置３０１へ送信する通知情報が格納された通知情報保存手段３２２と、携帯端末装置３０１との間で情報の送受信を行う送受信手段３２３とを備えて構成されている。
【００９９】
このような構成の携帯端末装置１０１が備える機能のうち着信メロディ機能を制限する場合の機能制御の動作及び電子チケットでの入場確認制御の動作を、図４に示すフロー図を参照して説明する。
【０１００】
但し、携帯端末装置３０１を所持する利用者が、その電子チケット保存手段３１１に保存された電子チケットを用いて入場を行う場合について説明する。
【０１０１】
まず、ユーザは入力手段３１６を操作することによって電子チケット読取装置３０２に電子チケットの読み取り要求を行う。この要求に応じた端末制御手段３１５の制御によって、電子チケット保存手段３１１に保存された電子チケット情報が、送受信手段３１４を介して電子チケット読取装置３０２へ送信される。
【０１０２】
電子チケット読取装置３０２では、送受信手段３２３でその電子チケット情報が受信される。ステップＳＴ４０１において、電子チケット確認手段３２１で、その受信電子チケット情報の正当性が確認される。
【０１０３】
ステップＳＴ４０２において、その正当性が確認できない場合、ステップＳＴ４０３において、入場不可となる。一方、正当性が確認された場合、ステップＳＴ４０４において、入場を許可する旨の情報と併せて通知情報保存手段３２２に保存された通知情報が送受信手段３２３から携帯端末装置３０１へ送信される。
【０１０４】
但し、通知情報とは、入場を許可するが場内では特定の機能の使用を制限するという情報であるとする。ここで特定の機能とは、着信メロディの鳴音を制限するものであるとする。
【０１０５】
通知情報を受信した携帯端末装置３０１では、端末制御手段３１５により通知情報の内容が解析される。ここでは、通知情報が機能制御に関する情報なので、通知情報に示される機能制御に関する機能項目が、機能情報保存手段３１３に保存されている携帯端末装置３０１の機能項目に含まれるか否かが確認される。
【０１０６】
ここで携帯端末装置３０１が、被制限機能を備えていれば、ステップＳＴ４０５において、その機能を制限する旨の了解メッセージが出力手段３１７に出力される。出力手段３１７がディスプレイ５０１である場合、例えば、電話の着信メロディをＯＦＦにして下さい。と表示され、更に、了解とＮｏボタンが表示され、このボタンの操作説明が表示される。
【０１０７】
ステップＳＴ４０６において、利用者は、入力手段３１６からその機能制限を了解するか否かを入力指示する。了解しない場合は、ステップＳＴ４０３において、入場許可が無効となる。
【０１０８】
了解する場合は、ステップＳＴ４０７において、端末制御手段３１５の制御により自動的に着信メロディの設定が変更される。この後、ステップＳＴ４０８において、入場許可情報が通知情報保存手段３１２に保持される。
【０１０９】
なお、本発明の実施例では通知情報として機能制御情報を例に取り説明したが、場内の地図情報であっても良いし、場内で使用する例えば各アトラクション毎のチケットであっても良い。
【０１１０】
また、図６の（ａ）（ｂ）に示すように、携帯端末装置３０１が受信する通知情報である機能規制情報６０１に、機能制限のレベル情報６０２を付与してもよい。この付与は実施の形態１でも同様に適用可能である。
【０１１１】
（ａ）の例は、フラッシュＯＦＦの機能規制情報６０１に、強制のレベル情報６０２が付与されたものである。（ｂ）の例は、鳴音ＯＦＦの機能規制情報６０１に、マナーのレベル情報６０２が付与されたものである。
【０１１２】
このようにレベル情報６０２を付与することにより、機能制御として強制的な機能制御が要求されているのか、強制ではないが利用者に使用の制限を推奨（マナー）されているのかを区別することが可能となる。これによって、一方的な機能制限でなく利用者が設定する余地が生じる。
【０１１３】
更に、機能制御レベルが推奨(マナー）の時の動作設定を、携帯端末装置３０１に設けることにより、利用者によっては機能制御レベルが推奨（マナー）レベルでも、自動で設定を変更することが可能となり、これによって設定変更の煩わしさがなくなる。制限されたくない利用者には機能を使用することも可能となる。
【０１１４】
なお、所定エリア入場時に通知された規制情報などの通知情報は、退場時に退場確認することによって無効とするようにしても良い。
【０１１５】
このように、実施の形態２の入場システムによれば、入場時の確認処理と併せて様々な情報を携帯端末装置３０１に送信することが可能となり、より確実に機能制御などを行うことが可能となる。また、一方的な機能規制のみでなく利用者の希望による機能使用の選択余地を残すことが可能となる。
【図面の簡単な説明】
【０１１６】
【図１】本発明の実施の形態１に係る携帯端末装置が適用された移動体通信システムの構成を示すブロック図
【図２】実施の形態１に係る携帯端末装置が備える機能のうちカメラによる撮影機能を制限する場合の機能制御の動作を説明するためのフロー図
【図３】本発明の実施の形態２に係る携帯端末装置が適用された入場システムの構成を示すブロック図
【図４】実施の形態２に係る携帯端末装置が備える機能のうち着信メロディ機能を制限する場合の機能制御の動作及び電子チケットでの入場確認制御の動作を説明するためのフロー図
【図５】実施の形態２に係る携帯端末装置の出力手段（ディスプレイ）に表示された通知情報の表示例図
【図６】実施の形態１及び２に係る携帯端末装置で受信される機能規制情報の構成例図
【符号の説明】
【０１１７】
１０１，３０１  携帯端末装置
１０２  ローカルエリア内電波送受信装置
１０３  基地局
１１２  公衆網送受信手段
１１３  カメラ
１１４  録音手段
１１５  保存データ用メモリ
１１６，３１６  入力手段
１１７，３１７  出力手段
１１８  機能制御手段
３０２  電子チケット読取装置
３１１  電子チケット保存手段
３１２，３２２  通知情報保存手段
３１４，３２３  送受信手段
３１５  端末制御手段
３２１  電子チケット確認手段
【図１】
0004825275.tif 000002
【図２】
0004825275.tif 000003
【図３】
0004825275.tif 000004
【図４】
0004825275.tif 000005
【図５】
0004825275.tif 000006
【図６】
0004825275.tif 000007